(57)【要約】      （修正有）【課題】フランジの剛性を強化することなく、壁部材の荷重によるフランジの変形量の最大値を減少できる浴槽を有する浴室ユニットを提供する。【解決手段】浴室ユニットは、槽本体と槽本体の外側に広がるフランジ１１とを有する浴槽１０と、フランジ１１上に置かれる壁部材とを備え、壁部材を配置するための配置領域３０が、フランジ１１部の外周Ｃの上面に設けられ、配置領域３０は、壁部材の下面に対向し、配置領域３０は、壁部材が配置領域３０に接触する接触領域３１、３２、３３と、壁部材が配置領域３０に接触しない非接触領域４１、４２、４３、４４とを含んでおり、配置領域に含まれる外周Ｃ上の任意の位置Ｐが、フランジ長さＬを与えており、フランジ長さＬは、位置Ｐからフランジ１１と槽本体との境界線Ｂ４までの距離であり、非接触領域４１、４２、４３、４４は、フランジ長さＬの最大値を与える位置Ｐを含むように設定した。【選択図】図４
2013106890.tif 000002
【特許請求の範囲】
【請求項１】
槽本体と該槽本体から水平方向の外側に広がるフランジとを有する浴槽と、前記フランジ上に置かれる壁部材とを備えている、浴室ユニットであって、
前記壁部材を配置するための配置領域が、前記フランジの外周の少なくとも一部に沿って前記フランジの上面に設けられており、該配置領域は、前記壁部材の下面に対向しており、該配置領域は、前記壁部材が前記配置領域に接触する接触領域と、前記壁部材が前記配置領域に接触しない非接触領域とを含んでおり、
前記配置領域に含まれる前記外周上の任意の位置が、フランジ長さを与えており、該フランジ長さは、前記位置から前記フランジと前記槽本体との境界線までの距離であり、
前記非接触領域は、前記フランジ長さの最大値を与える前記位置を含むように設定されている、浴室ユニット。
【請求項２】
前記壁部材の下面は、平坦面であり、
前記接触領域は、平坦面であり、
前記非接触領域は、前記接触領域よりも下方に形成される面である、請求項１に記載の浴室ユニット。
【請求項３】
前記外周は、平面視において、４つの辺を有する四角形形状を有しており、
前記配置領域は、前記４つの辺のうちの３つの辺に沿って設けられており、
前記境界線は、平面視において、四角形形状又は四隅に丸みを有する四角形形状を有しており、
前記非接触領域は、前記外周の四隅に設けられている、請求項１又は２に記載の浴室ユニット。
【請求項４】
槽本体と該槽本体から水平方向の外側に広がるフランジとを有する浴槽と、前記フランジ上に置かれる壁部材とを備えている、浴室ユニットであって、
前記壁部材を配置するための配置領域が、前記フランジの外周の少なくとも一部に沿って前記フランジの上面に設けられており、該配置領域は、前記壁部材の下面に対向しており、該配置領域は、前記壁部材が前記配置領域に接触する接触領域と、前記壁部材が前記配置領域に接触しない非接触領域とを含んでおり、
前記配置領域は、同一面積を有する複数の単位領域に分割されており、任意の前記単位領域に発生する力のモーメントが、該単位領域に掛かる前記壁部材の荷重と、前記単位領域の重心位置から前記フランジと前記槽本体との境界線までの最短距離と、によって特定されており、
前記配置領域が前記接触領域のみからなる場合と比べて前記力のモーメントの最大値が小さくなるように、前記非接触領域は、前記場合において前記力のモーメントの最大値を発生させる前記単位領域を含むように設定されている、浴室ユニット。
【発明の詳細な説明】
【技術分野】
【０００１】
本発明は、槽本体と該槽本体から水平方向の外側に広がるフランジとを有する浴槽と、前記フランジ上に置かれる壁部材とを備えている、浴室ユニットに関する。
【背景技術】
【０００２】
図８は、従来の浴室の展開図である。浴室は、床部材１０１、壁部材１０２、１０３、及び浴槽１１０を有している。壁部材１０２は、浴槽１１０上に置かれており、壁部材１０３は、床部材１０１上に置かれている。壁部材１０３は、壁部材１０２よりも浴槽１１０の高さだけ長い。浴槽１１０は、槽本体１２０と、該槽本体１２０から水平方向の外側に広がるフランジ１１１とを有している。特許文献１は、このような浴室の一例を開示している。
【０００３】
図９は、従来の浴槽１１０の平面図である。図９において、フランジ１１１の外周Ｃは、４つの辺Ｓ１、Ｓ２、Ｓ３、Ｓ４からなる四角形形状を有している。壁部材１０２を配置するための配置領域１３０が、３つの辺Ｓ１、Ｓ２、Ｓ３に沿ってフランジ１１１の上面に設けられている。３つの辺Ｓ１、Ｓ２、Ｓ３に沿う配置領域１３０には、壁部材１０２が配置されている。一方、辺Ｓ４に沿う周辺部は開放されており、該周辺部に壁部材１０２は配置されていない。壁部材１０２の下面及びフランジ１１１の上面は平坦であり、壁部材１０２の下面がフランジ１１１の上面に全面的に接触する。壁部材１０２は接着剤を用いてフランジ１１１に固定され、壁部材１０２はフランジ１１１に一体化される。接着による固定の後、壁部材１０２とフランジ１１１との接続部を被覆するようにシール剤が塗布される。この結果、接続部の水密性が確保され、浴室内の水が浴室外に漏れることが防止される。
【先行技術文献】
【特許文献】
【０００４】
【特許文献１】特開２００８−１５６８１６号公報
【発明の概要】
【発明が解決しようとする課題】
【０００５】
配置領域１３０に壁部材１０２の荷重が加わるため、この配置領域１３０は下方に変位する。配置領域１３０の各部における変位は、配置領域１３０の各部における変形の影響を受ける。各部における変形量が大きくなるにつれて、各部における変位量も大きくなる。ここで、任意位置における変位量は、この位置における変形前から変形後までの変化量であり、任意位置における変形量は、この位置における単位長さ当たりの変位量である。配置領域１３０の各部における変形量は、配置領域１３０の各部に発生する力のモーメントの大きさによって変化する。力のモーメントは、作用点に掛かる荷重と、作用点と回転の中心との距離とによって特定される。このため、力のモーメントは、作用点に掛かる荷重が大きくなるにつれて、作用点と回転の中心との距離が長くなるにつれて、大きくなる。
【０００６】
図９において、フランジ１１１の外周Ｃは、頂点Ｐ１、長手中央部Ｐ５、及び短手中央部Ｐ６を含んでいる。頂点Ｐ１において、外周Ｃに含まれる２つの辺が合流している。一方、フランジ１１１と槽本体１２０との境界線Ｂ４は、四隅に丸みを有する四角形形状を有している。ここで、フランジ長さＬが特定されている。フランジ長さＬは、外周Ｃ上の位置Ｐから境界線Ｂ４までの最短距離である。フランジ長さＬは、上述した作用点と回転の中心との距離に概ね一致する。壁部材１０２の厚み及び高さは一定であるので、単位面積当たりの配置領域１３０に掛かる壁部材１０２の荷重は一定である。この場合、力のモーメントの大きさは、フランジ長さＬのみに比例する。
【０００７】
図１０は、図９のＡ−Ａ断面図であり、図１１は、図９のＢ−Ｂ断面図であり、図１２は、図９のＣ−Ｃ断面図である。図９から図１２において、頂点Ｐ１におけるフランジ長さＬ１は、長手中央部Ｐ５におけるフランジ長さＬ５及び短手中央部Ｐ６におけるフランジ長さＬ６よりも長い。このため、頂点Ｐ１に掛かる力のモーメントは、中央部Ｐ５、Ｐ６に掛かる力のモーメントよりも大きい。この結果、フランジ１１１の四隅が最も下方に変位する。そうすると、浴室が使用されるとき、フランジ１１１の四隅に水が溜まってしまう。
【０００８】
フランジ１１１の変形量を抑制するために、フランジ１１１の剛性を強化することが検討されている。剛性の強化は、例えば、フランジ１１１の下側で浴槽１１０にリブを設けることや、浴槽１１０の肉厚を増加させることによって行われる。しかし、これらの対応は、浴槽１１０のコストアップを招くため、望ましくない。
【０００９】
そこで、本発明は、フランジの剛性を強化することなく、壁部材の荷重によってフランジに発生する変形量の最大値を減少できる浴槽を有する浴室ユニットを提供する。
【課題を解決するための手段】
【００１０】
本発明に係る浴室ユニットは、槽本体と該槽本体から水平方向の外側に広がるフランジとを有する浴槽と、前記フランジ上に置かれる壁部材とを備えている、浴室ユニットであって、前記壁部材を配置するための配置領域が、前記フランジの外周の少なくとも一部に沿って前記フランジの上面に設けられており、該配置領域は、前記壁部材の下面に対向しており、該配置領域は、前記壁部材が前記配置領域に接触する接触領域と、前記壁部材が前記配置領域に接触しない非接触領域とを含んでおり、前記配置領域に含まれる前記外周上の任意の位置が、フランジ長さを与えており、該フランジ長さは、前記位置から前記フランジと前記槽本体との境界線までの距離であり、前記非接触領域は、前記フランジ長さの最大値を与える前記位置を含むように設定されている。
【００１１】
好ましくは、前記壁部材の下面は、平坦面であり、前記接触領域は、平坦面であり、前記非接触領域は、前記接触領域よりも下方に形成される面である。
【００１２】
好ましくは、前記外周は、平面視において、４つの辺を有する四角形形状を有しており、前記配置領域は、前記４つの辺のうちの３つの辺に沿って設けられており、前記境界線は、平面視において、四角形形状又は四隅に丸みを有する四角形形状を有しており、前記非接触領域は、前記外周の四隅に設けられている。
【００１３】
また、本発明に係る浴室ユニットは、槽本体と該槽本体から水平方向の外側に広がるフランジとを有する浴槽と、前記フランジ上に置かれる壁部材とを備えている、浴室ユニットであって、前記壁部材を配置するための配置領域が、前記フランジの外周の少なくとも一部に沿って前記フランジの上面に設けられており、該配置領域は、前記壁部材の下面に対向しており、該配置領域は、前記壁部材が前記配置領域に接触する接触領域と、前記壁部材が前記配置領域に接触しない非接触領域とを含んでおり、前記配置領域は、同一面積を有する複数の単位領域に分割されており、任意の前記単位領域に発生する力のモーメントが、該単位領域に掛かる前記壁部材の荷重と、前記単位領域の重心位置から前記フランジと前記槽本体との境界線までの最短距離と、によって特定されており、前記配置領域が前記接触領域のみからなる場合と比べて前記力のモーメントの最大値が小さくなるように、前記非接触領域は、前記場合において前記力のモーメントの最大値を発生させる前記単位領域を含むように設定されている。
【００１４】
本発明に係る浴室ユニットにおいて、フランジの外周の形状及び境界線の形状は、限定されない。また、境界線は、フランジ及び槽本体を区分するように浴槽において曲率が変化する線状位置、あるいはフランジに荷重が掛かった場合に応力集中が発生する浴槽上の線状位置である。
【発明の効果】
【００１５】
本発明に係る浴室ユニットは、壁部材の荷重によってフランジに発生する変形量の最大値を減少できる。
【図面の簡単な説明】
【００１６】
【図１】図１は、浴室の一部の斜視図である。
【図２】図２は、浴槽の斜視図である。
【図３】図３は、浴槽の横断面図である。
【図４】図４は、浴槽の平面図である。
【図５】図５は、第１短辺に沿う配置領域に関連する、壁部材及びフランジの側面図である。
【図６】図６は、第２辺及び第３辺の合流部分を示すフランジの斜視図である。
【図７】図７は、浴槽の平面図である。
【図８】図８は、従来の浴室の展開図である。
【図９】図９は、従来の浴槽の平面図である。
【図１０】図１０は、図９のＡ−Ａ断面図である。
【図１１】図１１は、図９のＢ−Ｂ断面図である。
【図１２】図１２は、図９のＣ−Ｃ断面図である。
【発明を実施するための形態】
【００１７】
図１は、浴室の一部の斜視図である。図１において、浴室は、床部材１、壁部材２、３、４、及び浴槽１０を有している。浴槽１０は、フランジ１１を有している。壁部材２は、浴槽１０のフランジ１１上に置かれている。壁部材３は、床部材１上に置かれている。壁部材３は、壁部材２よりも浴槽１０の高さだけ長い。壁部材４は、フランジ１１と床部材１との間に配置されている。
【００１８】
浴室の少なくとも一部は、浴室ユニットを構成している。浴室ユニットは、少なくとも、浴槽１０及び該浴槽１０上に置かれる壁部材２を備えている。浴室ユニットは、更に、床部材１、壁部材３、４を含んでも良い。
【００１９】
図２は、浴槽１０の斜視図である。図３は、浴槽１０の横断面図である。図２、図３において、浴槽１０は、下方から上方に向けて、脚部１２（図３）、底部１３、下屈曲部１４、側壁１５、上屈曲部１６、及びフランジ１１を有している。脚部１２は、底部１３の下面に固定されている。底部１３は、水平方向に広がっている。下屈曲部１４は、底部１３の外側端から上方に向けて屈曲している。側壁１５は下屈曲部１４の上端から上方に延びている。上屈曲部１５は、側壁１５の上端から水平方向の外側へと屈曲している。フランジ１１は、上屈曲部１５の外側端から水平方向の外側に広がっている。脚部１２、底部１３、下屈曲部１４、側壁１５、上屈曲部１６、及びフランジ１１は、いずれも概ね一定の厚さを有している。槽本体２０は、脚部１２、底部１３、下屈曲部１４、側壁１５、及び上屈曲部１６により構成されている。槽本体２０は、水を溜める容器を形成している。
【００２０】
図２、図３において、底部１３、下屈曲部１４、側壁１５、上屈曲部１６、及びフランジ１１は、境界線Ｂ１、Ｂ２、Ｂ３、及びＢ４によって区分されている。これらの境界線Ｂ１、Ｂ２、Ｂ３、及びＢ４は、曲率が変化する位置を指している。つまり、底部１３、下屈曲部１４、側壁１５、上屈曲部１６、及びフランジ１１の曲率は、互いに異なっている。
【００２１】
図４は、浴槽１０の平面図である。図４において、フランジ１１の外周Ｃは、４つの辺を有する四角形形状を有している。４つの辺は、第１辺Ｓ１、第２辺Ｓ２、第３辺Ｓ３、及び第４辺Ｓ４からなっている。第２辺Ｓ２及び第４辺Ｓ４は、第１辺Ｓ１及び第３辺Ｓ３よりも長い。フランジ１１の上面には、壁部材２を配置するための配置領域３０が設けられている。配置領域３０は、第１辺Ｓ１、第２辺Ｓ２、及び第３辺Ｓ３に沿って設けられている。配置領域３０は、壁部材２の下面２ａ（図５）に対向している。配置領域３０の幅は、壁部材２の幅に等しい。つまり、この配置領域３０は、フランジ１１の上面に投影された壁部材２の下面２ａの正射影に等しい。第１辺Ｓ１に沿う配置領域３０に１つの壁部材２が配置され、第２辺Ｓ２に沿う配置領域３０に２つの壁部材２が配置され、第３辺Ｓ３に沿う配置領域に１つの壁部材２が配置されている。一方、利用者が浴槽１０と床部材１との間を移動できるように、第４辺Ｓ４に沿う周辺部は開放されており、該周辺部に壁部材２は配置されていない。
【００２２】
図４において、配置領域３０は、壁部材２が配置領域３０に接触する接触領域３１、３２、３３と、壁部材２が配置領域３０に接触しない非接触領域４１、４２、４３、４４とを含んでいる。接触領域及び非接触領域は、フランジ１１の上面に段差を形成することによって、設けられている。
【００２３】
図５は、第１辺Ｓ１に沿う配置領域３０に関連する、壁部材２及びフランジ１１の側面図である。図５において、壁部材２の下面２ａは平坦面であり、接触領域３１は平坦面であり、非接触領域４１、４２は、接触領域３１よりも下方に形成される面である。このため、接触領域３１は下面２ａに接触するが、非接触領域４１、４２は下面２ａに接触しない。同様に、接触領域３１、３２、３３は、同一平面上にあり、非接触領域４１、４２、４３、４４は、接触領域３１、３２、３３よりも下方にある。
【００２４】
図６は、第２辺Ｓ２及び第３辺Ｓ３の合流部分を示すフランジ１１の斜視図である。非接触領域４３は、フランジ１１の隅に設けられている。平面視において、非接触領域４３の形状は、Ｌ字である。
【００２５】
図２、図４に示されるように、非接触領域４１、４４の形状はＩ字であり、非接触領域４２、４３の形状はＬ字である。
【００２６】
非接触領域４１、４２、４３、４４は、配置領域３０におけるフランジ１１の変形量の最大値を減少させるために設けられている。非接触領域４１、４２、４３、４４は、次に述べる規則に基づいて、決定されている。
【００２７】
図４において、配置領域３０の各部における変形は、該各部に発生する力のモーメントが大きくなるにつれて、大きくなる。力のモーメントは、作用点に掛かる荷重と、作用点と回転の中心との距離によって特定される。配置領域３０内に配置される壁部材２の厚み及び高さが一定である場合、単位面積当たりの配置領域３０に掛かる壁部材２の荷重は一定である。このため、配置領域３０の各部に掛かる荷重は、一定である。この場合、力のモーメントの大きさは、作用点と回転の中心との距離のみに比例する。このため、前記距離の最大値を低下させることによって、フランジ１１に発生する変形量の最大値を低下させることができる。
【００２８】
図４は、フランジ１１の外周Ｃ及び境界線Ｂ４を示している。境界線Ｂ４は、上述したように、フランジ１１と上屈曲部１６とを区分する境界である。この境界線Ｂ４は、平面視において、四隅に丸みを有する四角形形状である。境界線Ｂ４は、上述したように曲率が変化する位置である。この境界線Ｂ４が、回転の中心に設定されている。また、配置領域３０に荷重が掛かるため、配置領域３０に含まれる外周Ｃ上の任意の位置Ｐを、荷重が掛かる位置に設定できる。つまり、外周Ｃ上の位置Ｐは、作用点である。このため、作用点と回転の中心との距離は、外周Ｃ上の位置Ｐから境界線Ｂ４までの最短距離である。この距離は、フランジ１１の上面における長さであるので、以下、フランジ長さＬと呼ぶ。
【００２９】
図４において、頂点Ｐ１、Ｐ２、Ｐ３、Ｐ４は、外周Ｃに含まれる４つの頂点を示しており、長手中間点Ｐ５は、第２辺Ｓ２の中間に位置しており、短手中間点Ｐ６は、第３辺Ｓ３の中間に位置している。頂点Ｐ１、Ｐ２、Ｐ３、Ｐ４におけるフランジ長さＬ１、Ｌ２、Ｌ３、Ｌ４は、長手中間点Ｐ５におけるフランジ長さＬ５、及び短手中間点Ｐ６におけるフランジ長さＬ６よりも長い。
【００３０】
非接触領域は、フランジ長さの最大値を与える位置Ｐを含むように設定されている。４つの頂点Ｐ１、Ｐ２、Ｐ３、Ｐ４は、フランジ長さの最大値を与えている。このため、非接触領域４１、４２、４３、４４が、頂点Ｐ１、Ｐ２、Ｐ３、Ｐ４を含むように設定されている。この結果、接触領域３１、３２、３３に含まれる外周Ｃ上の位置Ｐが与えるフランジ長さの最大値が、非接触領域４１、４２、４３、４４に含まれる外周Ｃ上の位置Ｐが与えるフランジ長さの最大値よりも、小さくなる。例えば、頂点Ｐ１は、非接触領域４１においてフランジ長さの最大値を与える位置である。
【００３１】
配置領域３０に非接触領域が含まれる場合、単純には、配置領域３０が接触領域のみからなる場合と比べて、力のモーメントの最大値は低下する。
【００３２】
しかしながら、非接触領域の設定は、次の制限を受ける。非接触領域の発生により、配置領域３０に占める接触領域の割合が低下する。このため、配置領域３０が接触領域のみからなる場合と比べて、単位面積当たりの接触領域に掛かる荷重が増大する。したがって、非接触領域が占める割合が大きくなるにつれて、接触領域における力のモーメントが増大する。最終的には、フランジ長さの短縮による効果が、単位面積当たりに掛かる荷重の増大によって打ち消されてしまう。つまり、非接触領域が配置領域内で占有できる割合には上限がある。このため、厳密には、配置領域３０が接触領域のみからなる場合と比べて、力のモーメントの最大値が小さくなるように、非接触領域が設定される。
【００３３】
一例として、長辺の長さが１６００ｍｍ、短辺の長さが８００ｍｍである場合に、３００ｍｍの長さを有する非接触領域が長辺の両側に配置され、２００ｍｍの長さを有する非接触領域が短辺の両側に配置される。ここで、長辺は、第２辺Ｓ２及び第４辺Ｓ４を指しており、短辺は、第１辺Ｓ１及び第３辺Ｓ３を指している。この例の場合、配置領域に占める非接触領域の割合は、１／２より小さい。このため、接触領域における単位面積当たりの荷重の増大は２倍よりも小さい。一方、フランジ長さの最大値は１／２以下に減少している。このため、この例では、力のモーメントの最大値が小さくなるように、非接触領域が設定されている。
【００３４】
図７を参照して、単位面積当たりの配置領域３０に掛かる壁部材２の荷重が変化する場合における、配置領域３０の各部に発生する力のモーメント及び非接触領域の設定を、より詳細に説明する。フランジ１１の外周Ｃに沿って壁部材２の厚み及び高さが変化する場合、単位面積当たりの配置領域３０に掛かる壁部材２の荷重が変化する。この場合、力のモーメントを特定するために、フランジ長さＬだけでなく単位領域Ｕに掛かる荷重を考慮する必要がある。
【００３５】
図７は、浴槽１０の平面図である。図７において、配置領域３０は、外周Ｃに沿って、同一面積を有する複数の単位領域Ｕに分割されている。ここで、配置領域３０の各部を表現するために、単位領域Ｕが導入されている。任意の単位領域に発生する力のモーメントは、この単位領域に掛かる壁部材２の荷重と、この単位領域の重心位置Ｇから境界線Ｂ４までの最短距離Ｌｇと、によって特定されている。単位領域Ｕの幅（壁部材２の厚み）はフランジ長さＬと比べて十分小さいので、この最短距離Ｌｇは実質的にフランジ長さＬに相当する。
【００３６】
非接触領域は、配置領域３０が接触領域のみからなる場合に前記力のモーメントの最大値を発生させる単位領域Ｕを含むように設定されている。ここで、非接触領域は、配置領域３０が接触領域のみからなる場合と比べて力のモーメントの最大値が小さくなるように、設定されている。このため、壁部材２の荷重によってフランジ１１に発生する変形量の最大値が、減少する。
【００３７】
本実施形態に係る浴室ユニットの効果を説明する。
【００３８】
本実施形態に係る浴室ユニットでは、非接触領域４１、４２、４３、４４は、フランジ長さの最大値Ｌ１、Ｌ２、Ｌ３、Ｌ４を与える位置Ｐ１、Ｐ２、Ｐ３、Ｐ４を含むように設定されている。このため、壁部材２の荷重によってフランジ１１に発生する変形量の最大値が低下する。
【００３９】
また、本実施形態に係る浴室ユニットでは、非接触領域４１、４２、４３、４４は、フランジ１１に段差を形成することによって形成されている。浴槽１０は例えば、樹脂成形により形成されるので、金型に凸部を形成することによって比較的容易に非接触領域が形成される。このため、浴槽１０が樹脂成形により形成される場合に、非接触領域を壁部材２に形成する場合と比べて、コスト及び工数が削減される。
【００４０】
また、本実施形態に係る浴室ユニットでは、配置領域３０は、フランジ１１の外周Ｃに含まれる３つの辺Ｓ１、Ｓ２、Ｓ３に沿って設けられている。このため、利用者が出入り可能な浴室ユニットが構成される。
【００４１】
また、本実施形態に係る浴室ユニットでは、配置領域３０が接触領域のみからなる場合と比べて力のモーメントの最大値が小さくなるように、非接触領域４１、４２、４３、４４は、前記場合において力のモーメントの最大値を発生させる単位領域Ｕを含むように設定されている。このため、壁部材２の荷重によってフランジ１１に発生する変形量の最大値が、減少する。
【符号の説明】
【００４２】
２    壁部材
２ａ  下面
１０  浴槽
１１  フランジ
２０  槽本体
３０  配置領域
３１、３２、３３  接触領域
４１、４２、４３、４４  非接触領域
Ｂ４  境界線
Ｃ    外周
Ｌ、Ｌ１、Ｌ２、Ｌ３  フランジ長さ
【図１】
2013106890.tif 000003
【図２】
2013106890.tif 000004
【図３】
2013106890.tif 000005
【図４】
2013106890.tif 000006
【図５】
2013106890.tif 000007
【図６】
2013106890.tif 000008
【図７】
2013106890.tif 000009
【図８】
2013106890.tif 000010
【図９】
2013106890.tif 000011
【図１０】
2013106890.tif 000012
【図１１】
2013106890.tif 000013
【図１２】
2013106890.tif 000014